(57)【特許請求の範囲】
【請求項１】
下方フレームと、
前記下方フレームに対して移動可能な上方フレームと、
前記上方フレームに対して移動可能な支持フレームと、
前記支持フレームに解除可能に連結でき、前記支持フレームに対して片持ち梁の方向で支持されるように構成されているデッキ部分と、
前記支持フレーム及び前記上方フレームに連結された収納構造であって、前記デッキ部分が、前記デッキ部分が使用位置と前記下方フレーム及び前記上方フレームの間の収納位置との間を移動するとき、前記デッキ部分を支持するように構成されている収納構造と、
取り外し可能なクッションアセンブリが前記デッキ部分に配置されると前記デッキ部分が前記支持フレームに固定されるように構成されている機構と、
を備えることを特徴とする患者支持装置。
【請求項２】
前記機構は、前記デッキ部分に、前記デッキ部分を前記支持フレームに固定するために、前記支持フレームと係合するように構成されているロック機構を含むことを特徴とする請求項１に記載の患者支持装置。
【請求項３】
前記ロック機構が、引っ込み位置と、前記デッキ部分を前記支持フレームに固定するために前記ロック機構が前記支持フレームと係合する伸張位置との間を移動可能となっている
ことを特徴とする請求項２に記載の患者支持装置。
【請求項４】
前記ロック機構が前記引っ込み位置に付勢される
ことを特徴とする請求項３に記載の患者支持装置。
【請求項５】
前記クッションアセンブリが前記ロック機構と係合して前記ロック機構を前記伸張位置に付勢する
ことを特徴とする請求項４に記載の患者支持装置。
【請求項６】
前記クッションアセンブリが前記デッキ部分上に支持されると前記ロック機構が前記伸張位置に付勢されるように、前記デッキ部分が開口を有しており、前記クッションアセンブリがさらに前記デッキ部分の前記開口に受容されるように構成されている突出部を有している
ことを特徴とする請求項５に記載の患者支持装置。
【請求項７】
前記デッキ部分がさらに、前記デッキ部分が前記収納位置にあるとき使用位置に配置される胎盤受け用たらいを有している
ことを特徴とする請求項２に記載の患者支持装置。
【請求項８】
前記収納構造が、前記デッキ部分が概ね水平の方向で保持される第一位置と、前記デッキ部分が前記概ね水平の方向から変形される第二位置との間を移動可能となっている
ことを特徴とする請求項２に記載の患者支持装置。
【請求項９】
前記収納構造が、前記概ね水平の方向で前記デッキ部分を保持するように付勢される
ことを特徴とする請求項８に記載の患者支持装置。
【請求項１０】
前記収納構造が付勢アセンブリとフレームとを備えており、前記付勢アセンブリが前記収納構造の前記フレームと係合される横材を有している
ことを特徴とする請求項９に記載の患者支持装置。
【請求項１１】
前記収納構造が前記患者支持装置の前記上方フレームに対して長手方向に移動可能である
ことを特徴とする請求項１０に記載の患者支持装置。
【請求項１２】
前記収納構造は、前記下方フレームに対する前記上方フレームの関節動作の間に前記下方フレームの一部と係合するように構成されており、前記収納構造と前記下方フレームの前記一部との係合によって前記収納構造が前記上方フレームに対して長手方向に移動するよう付勢される
ことを特徴とする請求項１１に記載の患者支持装置。
【請求項１３】
患者支持装置のためのデッキ部分であって、
第一側と、第二側と、第一端部と、第二端部と、を有する主要部と、
前記第一側及び前記第二側それぞれに前記第一端部近辺にて配置された第一係合部及び第二係合部であって、前記患者支持装置の一部と係合して前記デッキ部分を係合部に対して片持ちの向きで保持するように構成されている第一係合部及び第二係合部と、
前記主要部に連結されて、少なくても一つの突入部を有するロック機構であって、この突入部が、前記主要部の側方から外に向かって横に延在して前記患者支持装置の一部と係合し、使用者によって解除されるまで前記患者支持部分を前記患者支持装置に固定するように構成されているロック機構と、
前記主要部に配置可能であって、前記患者支持面が前記主要部に配置されると前記患者支持デッキが前記患者支持装置に固定されるように、前記ロック機構と係合して前記突入部を外側に付勢するように構成されているクッションアセンブリと
を備えているデッキ部分。
【請求項１４】
前記ロック機構の前記突入部が引っ込み位置に付勢される
ことを特徴とする請求項１３に記載のデッキ部分。
【請求項１５】
前記主要部が、上面に形成された胎盤受け用たらいを有している
ことを特徴とする請求項１３に記載のデッキ部分。
【請求項１６】
前記足部デッキ部分の前記ロック機構が第一プレート及び第二プレートを備えており、これらのプレートは、第一プレート及び第二プレートが相互から第一間隔を空けて離間される第一位置と、第一プレート及び第二プレートが相互から前記第一間隔よりも大きい第二間隔を空けて離間される第二位置との間を移動可能となっており、
前記第一プレート及び前記第二プレートは前記第二位置において、前記足部デッキ部分の第一ロックピン及び第二ロックピンとそれぞれ係合する
ことを特徴とする請求項１３に記載のデッキ部分。
【請求項１７】
前記デッキ部分が、そこを貫通する開口を有する上面を有しており、この開口が前記クッションアセンブリの作動体を受容するように構成されており、
前記開口が、前記作動体を前記足部デッキ部分のロック機構と係合するよう案内するように構成されている
ことを特徴とする請求項１３に記載のデッキ部分。
【請求項１８】
前記デッキ部分の前記ロック機構が、前記デッキ部分を片持ちの体勢で固定するために、前記足部デッキ部分の相対する各側から横に延在して患者支持装置の一部と係合するように構成されている一対の係合ピンを有している
ことを特徴とする請求項１３に記載のデッキ部分。
【請求項１９】
患者支持装置のためのクッションアセンブリであって、
基板と、
前記基板に連結し、クッションアセンブリがデッキ部分と係合されたとき前記デッキ部分を前記患者支持装置のフレームに固定するために、前記基板の下面からデッキ部分開口内へ下方に延在して前記デッキ部分のロック機構を作動させる突出部と
を備えているクッションアセンブリ。
【請求項２０】
前記クッションアセンブリが足部支持クッションとして構成されている
ことを特徴とする請求項１９に記載のクッションアセンブリ。
【発明の詳細な説明】
【技術分野】
【０００１】
本開示は患者支持装置及び付属品に関する。特に本開示は、取り外し可能で収納可能な関節動作型デッキ部分を有する患者支持装置に関する。
【背景技術】
【０００２】
病院のベッドや出産用ベッドを含む患者支持装置は、医療処置中の患者を支持することがある。出産用ベッドの場合、この装置は母親を陣痛や子供の分娩中に渡って支持する。処置や出産プロセスの間は、医者や看護婦などの治療・介護者が患者の身体の一部へ接近しやすくなるように、患者支持装置の一部を移動させたり取り外すことが好適である場合がある。例えば出産用ベッドの場合、治療・介護者が、子供の分娩を手助けするために陣痛の間母親の会陰部に接近できるように、足部デッキ部分が取り外し可能になっていてもよい。
【発明の開示】
【課題を解決するための手段】
【０００３】
本開示によると、出産用ベッドとして実現される患者支持装置が、下方フレームと、下方フレームに対して昇降する上方フレームと、上方フレームに対して移動する支持フレームとを備えている。患者支持装置はさらに、支持フレームに解除可能に連結できるデッキ部分と、支持フレームと上方フレームとに連結された収納構造とを備えている。支持フレームは、デッキ部分が、当該デッキ部分が支持フレームに固定される使用位置と、下方フレームと上方フレームとの間の収納位置との間を移動するとき、当該デッキ部分を支持するように構成されている。ある実施形態では、デッキ部分は、デッキ部分を支持フレームに固定するために、支持フレームの一部と係合するよう作動させることが可能なロック機構を有していてもよい。
【０００４】
実施形態によっては、デッキ部分上にクッションアセンブリを配置することによってロック機構を動作させてもよい。クッションアセンブリが、デッキ部分を支持フレームに固定させるために、ロック機構と係合するように構成されロック機構を支持フレームと係合するよう作動させる突出部を有していてもよい。ロック機構が、ロック機構の係合ピンが足部デッキ部分のフレーム内に引き込まれる位置に付勢されていてもよい。前記突出部が、足部デッキ部分を支持フレームに固定させるために、連結部を作動させ、ロック機構の付勢に打ち勝って係合ピンを伸張させ支持フレームの一部と係合させるように構成されていてもよい。
【０００５】
収納構造が、患者支持装置の上方フレームから支持される付勢アセンブリと、付勢アセンブリに連結されたフレームと、フレームと係合され支持フレームに回転可能に連結された案内体とを備えていてもよい。案内体が、使用位置と収納位置との間をデッキ部分が移動する間、デッキ部分を支持するように構成されていてもよい。足部デッキ部分を支持するための連続的な収納構造を提供するために、案内体が、支持フレームと共に移動し収納構造のフレームに沿って移動してもよい。
【０００６】
フレームが、収納位置にある足部デッキ部分に荷重が置かれることで変形するために、上方フレームに対して移動可能であってもよい。付勢アセンブリが、収納構造のフレームを定位置に付勢するばねを備えていてもよい。定位置では、フレームは、足部デッキ部分を概ね水平である収納位置で保持するように構成されている。付勢アセンブリが、上方フレームの一部と係合されているハンガーアセンブリと連結されていてもよい。
【０００７】
収納構造が上方フレームに対して移動可能になるように、ハンガーアセンブリが患者支持装置の長手方向長さに沿って上方フレームに対して移動可能となっていてもよい。ハンガーアセンブリが、患者支持装置の足側端部から離れた第一位置に付勢されていてもよい。収納構造が、上方フレームが下方フレームに向かって垂直下方に関節動作するときに、患者支持装置の下方フレームと係合して、ハンガーアセンブリに行使されている付勢に打ち勝って収納構造を患者支持装置の足側端部に向けて付勢するように構成されていてもよい。
【０００８】
収納構造が、足部デッキ部分の一部が露呈されるような位置に足部デッキ部分を配置するように構成されていてもよい。足部デッキ部分の露呈される部分が、足部デッキ部分が収納位置にあるとき治療・介護者によって接近されるよう配置される容器を有するように形成されていてもよい。前記容器は、胎盤受け用たらいとして実現されてもよいし、出産プロセスの間に治療・介護者によって接近されるように配置されてもよい。
【０００９】
別の例示的な実施形態では、患者支持装置が、第一部材及び第二部材を有するフレームと、第一部材及び第二部材それぞれに連結された第一受容体及び第二受容体と、患者支持装置のフレーム上に患者支持デッキが支持するために第一受容体及び第二受容体と係合するように構成されている第一支持ブラケット及び第二支持ブラケットを有する患者支持デッキとを備えている。これらの受容体は、概ね垂直の境界を形成する第一突出部と、第一突出部から離間して配置され別の概ね垂直な境界を形成する第二突出部とを備えていてもよい。配置された下方の概ね垂直な面が第一突出部と第二突出部との間に置かれていてもよい。第一突出部と第二突出部との間に斜面が配置され、この斜面が前記下方の面の垂直上方に間隔を空けて配置され、前記下方の面と交差していてもよい。
【００１０】
患者支持デッキが、第一側方部及び第二側方部を有する主要部を備えていてもよい。第一支持ブラケット及び第二支持ブラケットが主要部に連結され、それぞれ第一側方部及び第二側方部に配置されていてもよい。第二側方部は第一支持ブラケットと左右に相対する側に配置されていてもよい。これらのブラケットは、患者支持デッキを支持・固定するために、第一受容体及び第二受容体と係合するように構成されていてもよい。
【００１１】
ある実施形態では、第一支持ブラケット及び第二支持ブラケットが、患者支持デッキの端部近辺に配置されていてもよい。患者支持デッキが片持ち梁の構成で支持されてもよい。各受容体が患者支持装置の長手方向軸の相対する両側に配置されていてもよい。患者支持装置は出産用ベッドを備えていてもよい。患者支持デッキは足部デッキ部分を備えていてもよい。
【００１２】
ある実施形態では、患者支持デッキが一対のハンドルを備えていてもよい。これらのハンドルが患者支持デッキの相対する両側方部に配置されていてもよい。ある実施形態では、ハンドルが柔軟な素材でもよい。患者支持デッキが受容体と反対側の端部から持ち上げられた場合に、受容体の突出部の下方の面と係合して患者支持デッキを患者支持装置と係合した状態で保持するように構成されている突出部を、支持ブラケットが有していてもよい。
【００１３】
ある実施形態では、第一支持ブラケット及び第二支持ブラケットが、患者支持デッキが患者支持装置上に配置されるときに第一受容体及び第二受容体の斜面及び下方の面と係合するように配置されたベアリング材を備えている。ある実施形態では、受容体が、概ね水平の支持面とラッチブロックとを備えていてもよい。患者支持デッキが、患者支持デッキを患者支持装置に固定させるために受容体のラッチブロックと係合するように配置されたラッチフックを有するロック機構を備えていてもよい。
【００１４】
患者支持デッキがロック機構を有する場合、前記ハンドルが、ラッチフックを、係合解除位置と、患者支持デッキを患者支持装置に固定させるためにラッチフックがラッチブロックと係合される位置とに移動させるように、回転可能となっていてもよい。例えば、ロック機構が、ハンドルに連結された第一シャフトと、シャフトに連結されシャフトと共に動作可能なアームとを備えていてもよい。ロック機構はまた、ラッチフックに連結された第二シャフトと、各シャフトに連結され各シャフトと共に回転可能な各アームと、各シャフトの回転軸からずれた点で各アームに回転可能に連結されたリンクとを備えていてもよい。ハンドルの回転がこの機構を通じて伝達され、ラッチフックを回転させてもよい。
【００１５】
以上で列挙した特徴や特許請求の範囲で列挙した特徴を含め、その他の特徴も、単独でもその他のいずれの特徴と組み合わせても、特許可能な対象を備えることができる。そしてこれらの特徴は、以降に示す例示的な実施形態についての詳細な説明を考慮して当業者には明らかとなるだろう。これらの実施形態は、ここで説明した発明を実行する最良の形態を例示するものである。
【発明を実施するための最良の形態】
【００１６】
《図面の詳細な説明》
本開示によると出産用ベッド１０は、図１に示すとおり、頭部デッキ部分１２、座部デッキ部分１４、及び取り外し可能な足部デッキ部分１６を備えている。出産用ベッド１０はさらにベースフレーム１８を備えている。ベースフレーム１８は中間フレーム２０を支持している。中間フレーム２０は頭部デッキ部分１２及び座部デッキ部分１４を支持している。頭部デッキ部分１２及び座部デッキ部分１４は、出産用ベッド１０を占有する患者の体勢を調節できるように中間フレーム２０に対して関節動作が可能になっている。足部デッキ部分１４は支持フレーム２２上で支持されており、支持フレーム２２は中間フレーム２０によって支持されている。支持フレーム２２は、図１の矢印２４で示すとおり垂直に移動して、足部デッキ部分１６が座部デッキ部分１４から垂直方向に離間される体勢を含む複数の体勢に調節できるようになっている。これにより、陣痛や分娩の間に治療・介護者や患者が出産用ベッド１０を複数の体勢に調節することが可能になっている。
【００１７】
出産用ベッド１０はマットレス２５を備えている。マットレス２５は頭部デッキ部分１２及び座部デッキ部分１４上に支持されている。マットレス２５は、足部デッキ部分１６に隣接するマットレス２５の縁に沿ってＶ字形の凹部２６を備えている。図１の例示的な実施形態では、クッションアセンブリ２８が足部デッキ部分１６上に支持されており、凸部３０を備えている。凸部３０は、足部デッキ部分１６が座部デッキ部分１４と同じ高さで整列した時に平滑な患者支持面が形成されるように、凹部２６に受容されるように構成されている。図１に示すとおり、出産用ベッド１０はさらに関節動作可能な２つの足支持体３２及び３４を備えている。足支持体３２は使用時に患者の右足を支持するように配置されており、一方足支持体３４は使用時に患者の左足を支持するように配置されている。
【００１８】
子供の自然分娩の間の使用時に出産用ベッド１０は、マットレス２５に座り座部デッキ部分１４上に支持されている患者に治療・介護者が接近できるように構成される。足部デッキ部分１６は支持フレーム２２上に支持されており、支持フレーム２２が中間フレーム２０に対して垂直に移動するとき支持フレーム２２と共に移動できるようになっている。
【００１９】
ここで図１６を参照すると、取り外し可能な足部デッキ部分１６及び出産用ベッド１０の一部の分解組立図が示されている。座部デッキ部分１４は上側デッキ３６を備えており、上側デッキ３６は下側デッキ３８上に支持されている。下側デッキ３８は第一ピボット４０及び第二ピボット４２それぞれを有している。第一ピボット４０と第二ピボット４２との協働によって、座部デッキ部分１４が中間フレーム２０に対して回転する際に中心となる回転軸が形成される。支持フレーム２２は中間フレーム２０に対して支持されており、矢印２４で示すとおりに中間フレーム２０に対して垂直に移動する。支持フレーム２２は駆動機構（図示せず）によって駆動される。駆動機構では、直流駆動装置を利用して関節動作機構４４を関節動作させて支持フレーム２２の動きを制御する。本開示によれば、支持フレーム２２の関節動作を含む出産用ベッド１０の動作は全実施形態に渡って一致している。しかし、ある実施形態では、足部支持デッキの代替の実施形態を出産用ベッド１０に採用できるように出産用ベッド１０の構成を変更するために、支持フレーム２２が受容体によって係止されてもよい。
【００２０】
例えば、図１２を参照すると、受容体４６が３本のボルト４８によって支持フレーム２２に連結されている。受容体４６は、治療・介護者などの使用者が足部デッキ部分１６などの取り外し可能な足部デッキ部分を支持フレーム２２に係合しやすくなるように構成されている。受容体４６は、足部デッキ部分１６が支持フレーム２２から片持ち梁の形態で支持されるように、支持プレート５０が受容体４６と適切に係合すべく案内するようになっている。ここで再び図１６を参照すると、第二受容体５２が支持フレーム２２に配置されており、受容体４６と左右に相対する側に配置されている。受容体５２も同様に３本のボルト４８によって支持フレーム２２に固定されており、受容体５０は第二支持プレート５４を受容するように配置されている。第二支持プレート５４は、支持プレート５０と左右に相対する側に足部デッキ部分１６に配置されている。支持プレート５０及び５４がそれぞれ受容体４６及び５２と係合されると、足部デッキ部分１６は支持フレーム２２から片持ち梁の形態で支持されるようになる。以降でもっと詳細に説明するが、足部デッキ部分１６やクッションアセンブリ２８の重量、さらにここに支持されている患者の一部の重量が、支持プレート５０及び５４を受容体４６及び５２と係合させる力を増強する役目を果たす。
【００２１】
ここで図１９〜２０を参照すると、支持プレート５０及び受容体４６の一例が示されている。受容体４６は上面５６を有している。上面５６は斜面５８へと遷移し、斜面５８は係止面６０へと遷移している。受容体４６はさらに第一突出部６２及び第二突出部６４を有している。受容体４６が収納構造２２に連結されるとき、第一突出部６２は受容体４６のフットエンド側に、突出部６４は受容体４６のヘッドエンドに配置される。これにより突出部６２及び６４は、支持プレート５０が受容体４６と係合する時に支持プレート５０のための長手方向の障壁として機能するようになる。支持プレート５０は、図１９に示すとおり、概して下方部分の方が幅が狭くなっており、垂直に上方向に行くにつれて広くなっている。このテーパー形状の効果によって治療・介護者は、取り外し可能な足部デッキ部分１６を受容体４６及び５２と係合させて配置するときに、足部デッキ部分１６を適切に長手方向に配置しやすくなる。
【００２２】
ここで図１９を参照すると、支持プレート５０は面６６を有しており、面６６は、支持プレート５０が受容体４６と係合されるときに第二突出部６４の面６８と係合する面である。支持プレート５０はさらに面７０を有している。面７０は、支持プレート５０が受容体４６と係合されるときに受容体４６の面７２と係合する面である。支持プレート５０は垂直軸７４を有しているが、面６６及び７０は垂直軸７４に平行ではなく、また相互に対しても平行でない。支持プレート５０が矢印７６の方向に降下されると面６６及び７０がそれぞれ面６８及び７２と係合し、これにより、支持プレート５０が受容体４６と摩擦的に係合し、そして取り外し可能な足部デッキ部分１６が出産用ベッド１０に固定されるようになる。さらに外面７８（図１９〜図２０には不図示）が面５８と係合する。面５８は、支持プレート５０を、受容体４６の面６０と適切に係合するように案内する。この例示的な実施形態において、支持プレート５０は支持プレート５４の鏡像にあたる。支持プレート５４は主要部１０２と外側部材１０４とを備えている。外側部材１０４は受容体５２と係合するように配置されており、支持プレート５０を受容体５２に挿入する間の騒音や、また、足部支持デッキ１６上での患者の動きによって足部デッキ部分１６が動いたときに発生する可能性がある騒音を低減するためのベアリング面として機能する。支持プレート５０も同様に主要部１０６と外側部材１０８とを有している。
【００２３】
支持プレート５０の面７０は、突出部８０を有するように形成されている。突出部８０は、足部デッキ部分１６を受容体４６及び５２から意図せずに外してしまうことを防ぐためのフックとして機能する。足部デッキ部分１６の足側端部側が持ち上げられた場合、突出部８０が受容体４６の第一突出部６２の下方面８２と係合する。これにより、足部デッキ部分１６の操作に不慣れな人が足部デッキ部分１６を外してしまうことを防ぐ。通常の操作では、使用者は２つのハンドル８４及び８６を把持する。ハンドル８４及び８６は、足部デッキ部分１６の重量の回転を引き起こして、突出部８０が第一突出部６２の面８２を通過することが阻止されるように、形作られて配置されている。足部デッキ部分１６は、主要部８８と、ハンドル８４及び８６とを有している。ハンドル８４及び８６は、主要部８８の相対する両側に留め具９０によって連結されている。
【００２４】
足部デッキ部分１６はさらに４つの延長部９２、９４、９６、及び９８を有している。これらの延長部は主要部８８に連結されて、そこから横に延在している。支持プレート５０が延長部９６及び９８に連結され、支持プレート５４が延長部９２及び９４に連結される。延長部９２、９４、９６、及び９８はそれぞれ貫通孔１００を有している。ここで図１６Ａを参照すると、支持プレート５４が一対のフランジ１１０及び１１２を有していることが分かる。これらのフランジは主要部１０２に連結されている。２つの貫通孔がフランジ１１０及び１１２のそれぞれに形成されている。フランジ１１０には貫通孔１１４及び貫通孔１１６がそれぞれ形成されている。フランジ１１２には貫通孔１１８及び貫通孔１２０がそれぞれ形成されている。貫通孔１１４は貫通孔１１８の垂直上方に配置され、両貫通孔の中心線によって軸１２２が形成されている。同様に、貫通孔１１６は貫通孔１２０の垂直上方に配置され、両貫通孔の中心線によって軸１２４が形成されている。支持プレート５４が足部デッキ部分１６の主要部８８に連結されるとき、留め具１００がフランジ１１０と延長部９２とフランジ１１２とを軸１２２に沿って貫通できるように、また、第二の留め具１００がフランジ１１０と延長部９４とフランジ１１２とを軸１２４に沿って貫通できるように、軸１２２が位置調節される。留め具１００が支持プレート５４と係合されるとき、座金１２６がフランジ１１０における留め具のヘッド１２８との間のインタフェースとなる。第二の座金１２６が、ナット１２８とフランジ１１２との間に配置される。ナット１２８を留め具１００に締め付けることによって、支持プレート５４が足部デッキ１６の延長部９２及び９４に固定される。支持プレート５０は２つのフランジ１３０及び１３２を有しており、延長部９６及び９８に連結されるが、この方法はブラケット５４が延長部９２及び９４に連結されるのと同様であるため、詳細な説明を省略する。
【００２５】
支持プレート５４はさらにグライド１３４を有している。グライド１３４は主要部１０２に連結されて、主要部１０２の下面１３８を覆うように配置されている。グライド１３４は、支持プレート５４を受容体５２に係合させるときのベアリングとして機能し、この間に騒音が発生する可能性を減らす。支持プレート５０も同様にグライド１４０を有している。グライド１４０は主要部１０６に連結されて、一定の方法で、又は支持プレート５４のグライド１３４と同じように機能する。
【００２６】
足部デッキ部分１６はさらにスタンド１４２を有している。スタンド１４２は２つの留め具１４４によって主要部８８に連結されている。スタンド１４２は、例えば、足部デッキ部分１６を起立姿勢で支持するように構成されているワイヤフォームとして実現される。例えば、図１７に示す別の例示的な実施形態では、スタンド１４２が足部デッキ部分１４４に連結されており、起立姿勢において足部デッキ部分１４４を支持している。これによりクッションアセンブリ１４６が床から離間され、クッションアセンブリ１４６上で支持されているリネン類が床に触れて汚染されることを防げるようになっている。実施形態の一例である足部デッキ部分１４４は足部デッキ部分１６と同様のものだが、足部デッキ部分１４４の方は、主要部１５２に連結された２つのグリップハンドル１４８及び１５０を有している。グリップハンドル１４８及び１５０は、治療・介護者が、出産用ベッド１０のベースフレーム１８に連結されたキャスター１５４で出産用ベッド１０を移動させて出産用ベッド１０を再配置するためにグリップハンドル１４８及び１５０を利用できるように、配置されている。
【００２７】
再び図１６を参照すると、足部デッキ部分１６はさらにハンドル１５６を有している。ハンドル１５６は主要部８８に連結されている。ハンドル１５６は、出産用ベッド１０をキャスター１５４で移動させて再配置するために、治療・介護者が利用できるようになっている。ハンドル１５６はさらにスタンドとしても機能する。ハンドル１５６が床に着地して、足部デッキ部分１６を起立姿勢で支持する。
【００２８】
図１６の例示的な実施形態では、胎盤受け用たらい１５８が２つのラック１６０及び１６２上に支持される。ラック１６０及び１６２はそれぞれ受容体４６及び５２の垂直下方で支持フレーム２２に連結されている。ラック１６０及び１６２は例えばワイヤフォームとして実現され、胎盤受け用たらい１５８のフランジ部１６６及び１６８をそれぞれ受容するように構成されている。シュラウド１６４が支持フレーム２２に連結されているが、その形状は胎盤受け用たらい１５８の前部１７０と係合するように構成されており、これにより、シュラウド１６４と胎盤受け用たらい１５８が協働して汚物などを胎盤受け用たらい１５８に案内できるようになっている。ラック１１６は２つの延長部１７２及び１７４を有している。延長部１７２及び１７４が支持フレーム２２の２つの穴（図示せず）に受容され、これによりラック１１６は摩擦締まりばめによって支持フレーム２２に連結されている。ある実施形態では、ラック１１６を支持フレーム２２に固定するために接着剤が付加されていてもよい。同様にラック１６２は、支持フレーム２２の穴（図示せず）に受容される２つの延長部１７６及び１７８を有している。
【００２９】
足部デッキ部分１６はさらに支持部材１８０を有している。支持部材１８０は主要部８８に連結されており、足部デッキ部分１６が支持フレーム２２と係合されると、足部デッキ部分１６上に支持されたクッションアセンブリの凸部を支持できるように構成されている。支持部材１８０は、例えば、Ｖ字形の形状を有し、座部部分１４の上側デッキ３６に形成されたＶ字形の凹部１８２に受容されるように配置されたワイヤフォームとして実現される。支持部材１８０は、２つの留め具１８４と座金１８６によって主要部８８に連結されている。他の実施形態において、座部部分１４の上側デッキ３６に形成された凹部をＵ字形の凹部とし、支持部材１８０の代わりに、Ｕ字形の凹部内に受容されるように構成された支持部材であって、Ｕ字形凹部に受容されるように構成された足部デッキ部分上に支持されるクッションアセンブリのＵ字形凸部を支持するように構成された別の支持部材を使用していてもよい。
【００３０】
図１７〜図１８に示す足部デッキ部分１４４は足部デッキ部分１６と同様のものであるが、クッションアセンブリ１４６などのクッションアセンブリが、足部デッキ部分１４４、又は足部デッキ部分１６など足部デッキ部分のその他の実施形態に連結される方法の一例を示している。クッションアセンブリ１４６はフラップ１８８と２つのスナップ部１９０とを有している。フラップ１８８は足部デッキ部分１４４の側面上に延在している。スナップ部１９０は相補スナップ部１９２と係合している。スナップ部１９２が図１６に示されている。図１６は、スナップ部１９２と足部デッキ部分１６の主要部８８との係合を示している。再度図１７を参照すると、フラップ１８８を相補し、クッションアセンブリ１４６の反対側で側方に配置された別のフラップが、一対のスナップ部１９０を有している。スナップ部１９０は別の一対のスナップ部１９２と連結されている。このようにしてクッションアセンブリ１４６は足部デッキ部分１４４に連結され、足部デッキ部分１４４と受容体４６及び５２との係合が解除されても、足部デッキ部分１４４との係合を維持する。その他の実施形態では、クッションアセンブリ１４６などのクッションアセンブリが足部デッキ部分１６に連結されることも可能である。
【００３１】
足部デッキ部分１４４は一対のハンドルを有しており、そのハンドル１９４の一つが図１７及び図１８に示されている。ハンドル１９４などのこれらのハンドルは柔軟性があり、その配置は、使用者が足部デッキ部分１４４を持ち上げて出産用ベッド１０の支持フレーム２２から取り外すと、足部デッキ部分１４４の重量によって足部デッキ部分がスタンド１４２と共に垂直下方向に回転されて、これにより図１７に示す起立姿勢に治療・介護者が足部デッキ部分１４４を配置できるように、調節されている。
【００３２】
上述のとおり、足部デッキ部分１６及び１４４では、足部デッキ部分１６及び１４４を出産用ベッド１０に固定するために受動的なロック手法を採用している。図２１〜図２３に示す別の実施形態では、足部デッキ部分１９６が支持フレーム２２から取り外し可能となっており、支持フレーム２２に足部デッキ部分１９６を能動的に固定するためのロック機構を有している。足部デッキ部分１９６は、主要部１９８と、主要部１９８に連結された２つの支持ブラケットアセンブリ２００及び２０２を有している。図２１〜図２３の例示的な実施形態では、支持フレーム２２のみを示し出産用ベッド１０の残りの部分は省略している。しかし、図２１〜図２３の例示的な実施形態における支持フレーム２２は、この開示の別の箇所で説明しているような病院ベッド１０に連結されていることを理解されたい。足部デッキ部分１９６が支持フレーム２２上に配置されると、支持ブラケット２００は受容体２０４の一部に、支持ブラケット２０２は受容体２０６の一部において受容される。支持ブラケット２０２の受容体２０６との係合は支持ブラケット２００の受容体２０４との係合と同様であるため、詳細の説明は省略する。支持ブラケット２００の受容体２０４との係合についての説明は、支持ブラケット２０２の受容体２０６との係合にも当てはまる。
【００３３】
受容体２０４は上方部２０８と下方部２１０とを有している。上方部２０８は上面２１４、案内面２１６、及び垂直面２１８を有する突出部２１２を含むように形成されている。突出部２１２は、下方部２１０の上面２２０の上に延在して、支持ブラケット２００の主要部２２６に連結されたローラー２２４を受容するように構成されるアンダーカット部２２２を形成している。また、支持ブラケット２００はフランジ２２８を有している。フランジ２２８は、受容体２０４の下方部２１０の上面２２０と係合するように配置されている。足部デッキ部分１９６が支持フレーム２２上に配置されると、ローラー２２４がアンダーカット部２２２に、フランジ２２８が下方部２１０の上面２２０に配置されて、これにより足部デッキ部分１９６が支持フレーム２２から片持ちの向きに支持されるようになる。
【００３４】
足部デッキ部分１９６はさらにロック機構２３０を有している。ロック機構２３０は、一対のハンドル２３２及び２３４からの動きを伝達して一対のフックを回転させる。この一対のフックが下方部２１０の穴部と係合して、足部デッキ部分１９６を支持フレーム２２に固定させる。例えば、ラッチフック２３６が支持ブラケット２００に対して回転する。支持ブラケット２００が受容体２０４と係合されるとき、ラッチフック２３６が下方部２１０の穴部２３８上に配置され、そしてバーブ２４１が面２４２の下にある穴部２４０内に配置されるように回転する。穴部２４０と面２４２の協働によってラッチブロック２４３が形成されている。バーブ２４１がラッチブロック２４３と係合することによって足部デッキ部分１９６が支持フレーム２２に固定される。ラッチフック２３６のバーブ２４１は、ロックされた位置にあるとき、足部デッキ部分１９６が支持フレーム２２から取り外されることを阻止する。ハンドル２３２及び２３４は、足部デッキ部分１９６の主要部１９８の幅に渡って伸張するシャフト２４２に連結されている。シャフト２４２は、一対の軸受２４４を通して主要部１９８に支持されている。軸受２４４によってシャフト２４２は、矢印２４６で示すように主要部１９８に対して自身の長手方向長さを中心に回転できるようになっている。
【００３５】
ロック機構２３０はさらにアーム２４８を有している。アーム２４８はシャフト２４２に連結されている。アーム２４８は、シャフト２４２がハンドル２３２及び２３４によって回転されると、シャフト２４２と共に回転する。リンク２５０がアーム２４８に回転可能に連結されており、さらに第二アーム２５２に回転可能に連結されている。アーム２５２はシャフト２５４に連結されている。ラッチフック２３６がシャフト２５４に連結されており、矢印２５６で示すようにシャフト２５４の長手方向長さを中心に回転する。シャフト２５４は連結部２６０を通じて別のシャフト２５８に連結されている。連結部２６０は各シャフトに留め具２６２によって連結されており、シャフト２５６の回転がシャフト２５８に伝達されて、これによりラッチフック２３６と左右に相対する側に配置された別のフック（図示せず）をシャフト２５８が回転させるようになっている。シャフト２５４及び２５８はそれぞれ支持ブラケット２００及び２０２に対して回転し、軸受２４４によって支持されている。リンク２５０はシャフト２４２とシャフト２５４の各長手方向軸からずれた位置でアーム２４８及び２５２に回転可能に連結されているため、シャフト２４２の回転がシャフト２５４に伝達されてこれによりシャフト２５８に伝達される。
【００３６】
このようにして、ハンドル２３２及び／又はハンドル２３４の駆動によって、ラッチフック２３６が受容体２０４と係合するように回転される。ハンドル２３２及び２３４を下方に回転させると、ハンドル２３２及び２３４は、足部デッキ部分１９６上に支持されるクッションアセンブリの上面より下となる邪魔にならない位置まで移動する。ハンドルを図２１の矢印２６４の方向に上方に回転させると、ラッチフック２３６と受容体２００との係合が解除されて、足部デッキ部分１９６を受容体２００及び２０２との係合から自由に解除できるようになる。
【００３７】
図２４の例示的な実施形態では、足部デッキ部分２６６がクッションアセンブリ２６８を支持し、出産用ベッド１０の支持フレーム２２に連結されている。ハンドル２７３は主要部２７０とグリップ部２７２とを有している。ハンドル２７３は矢印２７４の方向に作動させることが可能で、グリップ部２７２がデッキ部分２６６の足側端部にて収納される収納位置まで移動する。この位置ではグリップ部がハンドル２７１に隣接して配置される状態となる。足部デッキ部分２６６では図２１〜図２３の例示的な実施形態におけるロック機構２３０と同様のロック機構が利用されているが、ハンドル２７３の移動方向が足部デッキ部分１９６のハンドル２３２及び２３４のそれとは逆方向になっている。
【００３８】
図２５に示すさらに別の実施形態では、取り外し可能な足部デッキ部分２８０が主要部２８２と２つの支持ブラケット２８４及び２８６を有している。支持ブラケット２８４及び２８６は主要部２８２に連結されており、それぞれ図１６の例示的な実施形態における受容体５２及び４６と係合するように構成されている。足部デッキ部分２８０はハンドル２８８を有している。ハンドル２８８は主要部２８２に連結されており、足部デッキ部分１６のハンドル１５６と同様に機能する。足部デッキ部分２８０は、受容体５２及び４６に連結されるとき足部デッキ部分１６と同様に機能するが、足部デッキ部分２８０の方は３点スタンド２９０を有している。３点スタンド２９０は、足部デッキ部分２８０が床に着地されるとき展開される。スタンド２９０は上方ブラケットアセンブリ２９２を有している。上方ブラケットアセンブリ２９２は、足部デッキ部分２８０の主要部２８２の横材２９４に連結されている。ブラケットアセンブリ２９２は２つの受容体２９６及び２９８を有している。受容体２９６及び２９８は、受容体２９６及び２９８が一定の相対的間隔を維持するように、リンク３００によって連結されている。ブラケットアセンブリ２９２は回転可能に横材２９４に連結されており、矢印３０２で示すとおりに横材２９４に対して回転する。
【００３９】
２９０はさらに２つの脚３０４及び３０６を有している。脚３０４及び脚３０６がブラケットアセンブリ２９２と共に動くように、脚３０４は受容体２９６と、脚３０６は受容体２９８と係合されている。カラー３０８が脚３０４に連結されており、リンク３１２をカラー３０８に故に脚３０４に対して回転動作できるように受容するように構成されている。同様にカラー３１０が脚３０６に連結されており、リンク３１４がカラー３１０に対して回転可能となるようにリンク３１４を受容するように構成されている。リンク３１２及び３１４はブラケット３１６に連結されている。ブラケット３１６にはさらに付勢部材３１８が連結されており、付勢部材３１８はリンク３１２及び３１４の間に配置されている。付勢部材３１８は、ブラケット３１６とは反対側の端部で、足部デッキ部分２８０の主要部２８２の横材３２０に連結されている。ブラケット３１６にはさらにフランジ３２２が連結されており、フランジ３２２は、足部デッキ部分２８０が床に降下されたときに床に付くように構成されている。さらに、足３２４がフランジ３２２及びブラケット３１６に連結されている。足３２４は柔軟性があり高い摩擦係数を有するため、床に付くと、スタンド２９０を展開するための抵抗を提供できるようになっている。
【００４０】
付勢部材３１８は無負荷になると、ブラケット３１６を収納位置に付勢し、これにより脚３０４及び３０６を足部デッキ部分２８０の主要部２８２の底に接するような収納位置まで引き上げる。足３２４が床に付いて足部デッキ部分２８０の重量が足３２４及びフランジ３２２に掛けられると、付勢部材３１８は矢印３２６の方向にたわむ。リンク３１２及び３１４は硬質でありその長さが一定であるため、付勢部材３１８がたわむことによって、リンク３１２及び３１４がそれぞれ、脚３０４及び３０６を図２５に示すとおりの展開位置まで付勢するように、脚３０４及び３０６へ作用するようになる。スタンド２９０が完全に展開されると、足部デッキ部分２８０は、脚３０４及び３０６それぞれに連結された２つのグライド３２８及び３３０と、さらに足３２４との上に載るようになる。付勢部材３１８のたわみが十分な場合に、足部デッキ部分２８０がこれらに加えて支持ブラケット２８４及び２８６の上にも載るようになっていてもよい。足部デッキ部分２８０が床から持ち上げられると、付勢部材３１８はブラケット３１６を矢印３２６の反対方向に付勢し、これによりリンク３１２及び３１４が脚３０４及び３０６を引っ張って、主要部２８２の下側に折り込まれる収納位置に移動させる。
【００４１】
図２６に示すさらに別の実施形態では、取り外し可能な足部デッキ部分３３２がはさみ状フレーム３３４上に支持されており、これにより足部デッキ部分３３２を出産用ベッド１０などの患者支持装置から運び去ることができるようになっている。はさみ状フレーム３３４は４つのキャスター３３６を有しており、そのうちの２つは下方部材３３８に、他の２つは下方部材３４０に連結されている。はさみ状機構３３４はさらに２つの脚３４２、３４２を有している。脚３４２は下方部材３３８に連結されており、さらに足部デッキ部分３３２の主要部３４４の頭側端部に回転可能に連結されている。２つの脚３４６、３４６は主要部３４４の足側端部近辺で横材３４８に回転可能に連結されており、これにより脚３４６は主要部３４４に対して回転できるようになっている。また、はさみ状フレーム３３４が形成されるように、脚３４２の一つ一つが、他方の一対の脚３４６の一つ一つに回転可能に連結されている。治療・介護者が足部デッキ部分３３２を出産用ベッド１０との係合から外したいときは、はさみ状フレーム３３４を床に着地するように手動で展開させる。また、足部デッキ部分３３２を出産用ベッド１０と係合させる場合、はさみ状フレーム３３４は手動で収納位置に持ち上げることができる。
【００４２】
支持ブラケット３５０が主要部３４４に連結されており、出産用ベッド１０の支持フレーム２２に連結された受容体（図示せず）に摺動されるように構成されている。同等の支持ブラケットが支持ブラケット３５０と左右に相対する側に配置されており、これら支持ブラケットが受容体と係合されると足部デッキ部分３３２が支持フレーム２２から片持ち梁の構成で支持されるようになっている。支持ブラケット３５０は付勢部材３５２を有している。付勢部材３５２は、支持ブラケット３５０が支持フレーム２２の受容体と係合されるときに、付勢部材３５２が受容体の穴部に受容されるまでたわむ。穴部は付勢部材３５２に相補的であり、付勢部材３５２の付勢に打ち勝って足部デッキ部分３３２を支持フレーム２２から取り外すのに十分な力が加えられるまで、足部デッキ部分３３２を支持フレーム２２と係合している状態で保持する。
【００４３】
なお、取り外し可能な足部デッキ部分の様々な例示的な実施形態をここに開示してきたが、取り外し可能足部デッキ部分の各種態様は相互に交換可能であり、各スタンド、各ロック機構、及び各ハンドル形状の色々な組み合わせも本開示の範囲に入るものと意図していることを理解されたい。例えば、ある実施形態では、足部デッキ部分１６と同様な足部デッキ部分が、スタンド１４２のようなスタンドは省かれて、図２５の例示的な実施形態で開示されたようなスタンド２９０と同様の構造によって起立方向で支持されてもよい。同様に、別の実施形態では、足部デッキ部分１６のような足部デッキ部分が図２１〜図２３の例示的な実施形態で開示されたロック機構を用いるように構成されていてもよい。
【００４４】
これまで述べた実施形態にて開示してきたのは、出産用ベッド１０から取り外し可能で出産用ベッド１０から離れた位置にて収納可能な足部デッキ部分である。しかし場合によっては、分娩室内部を整頓し、また取り外し可能な足部デッキ部分を持ち上げる治療・介護者が負傷する危険性を減らすために、出産用ベッド１０のスペース内部に足部デッキ部分を収納することが好適であることもある。
【００４５】
ここで図２を参照すると、別の実施形態である足部デッキ部分３６０が、足部デッキ部分３６２の上に配置されたクッションアセンブリ３６２と共に示されている。クッションアセンブリ３６２は作動体３６４を備えている。作動体３６４は、クッションアセンブリ３６２の底面３６６から延在しており（図６に最も良く示す）、足部デッキ部分３６０の上面３７０の開口３６８に受容されている。作動体３６４は、足部デッキ部分３６０上にクッションアセンブリ３６２を保持し、ロック機構３７２を作動させる（図４に最も良く示す）。ロック機構３７２は、２つのピン３７４及び３７６を足部デッキ部分３６０から外側に向けて横に伸張させて、支持フレーム２２に連結された受容体３８０にあるチャネル３７８（図１１を参照）と係合する。図２に示すように、受容体３８０は出産用ベッド１０の患者右側に、第二受容体３８２は出産用ベッド１０の患者左側に配置されている。
【００４６】
足部デッキ部分３６０は、２セットのローラー、ローラー３８４・３８６とローラー３８８・３９０とを通して受容体３８０及び３８２と係合する。ローラー３８４・３８６は足部デッキ部分３６０の患者右側に、ローラー３８８・３９０は足部デッキ部分３６０の患者左側に配置されている。ローラー３８４、３８６、３８８及び３９０は留め具９００、９０２、９０４、及び９０６によって足部デッキ部分３６０に固定されている。これら留め具のそれぞれはフランジ９１０を有している。フランジ９１０は、チャネル３７８に形成されたアンダーカット部３７９に受容される。ここで図１１を参照すると、チャネル３７８がチャネル３９２と交わっている。足部デッキ部分３６０が支持フレーム２２上に配置されるとき、ローラー３８４がチャネル３７８内に配置される。ローラー３８６が受容体３８０の面３９４に配置され、ローラー３８４がチャネル３７８の端部３９６と係合するまでチャネル３７８内を移動するように、足部デッキ部分３６０がローラー３８６を中心に回転される。ローラー３８６が面３９４に配置され、ローラー３８４が端部３９６と係合すると、足部デッキ部分３６０は支持フレーム２２から片持ち梁の形態で支持される。しかし、足部デッキ部分３６０を持ち上げると、足部デッキ部分３６０は受容体３８０に対して動いてしまう。
【００４７】
足部デッキ部分３６０を受容体３８０に固定するために、ピン３７４が、受容体３８０の内面９０に形成された止まり穴部３９８の中に伸張される。ピン３７４とこの穴部３９８との係合が、足部デッキ部分３６０の受容体３８０に対する回転を阻止する。後にもっと詳細に説明するが、クッションアセンブリ３６２の作動体３６４が、ピン３７４及び３７６を伸張させるようロック機構３７２を作動させるように、クッションアセンブリ３６２が足部デッキ部分３６０上に配置される。このときピン３７４が足部デッキ部分３６０から伸張する。これによって、使用時に足部デッキ部分３６０が支持フレーム２２上に配置されたとき、足部デッキ部分３６０及びクッションアセンブリ３６２が支持フレーム２２に対して固定されるようになる。
【００４８】
足部デッキ部分３６０は、使用時以外のときは図３０〜図４０に示すように収納構造４００に収納可能であり、足部デッキ部分３６０の胎盤受け用たらい４０２を、図２に示すように、陣痛や分娩プロセスの間に使用されるように配置できるようになっている。収納構造４００の一部が図１３に示されている。収納構造４００は、その上で足部デッキ部分３６０を収納位置において受容し支持するように構成されている。さらに収納構造４００は、足部デッキ部分３６０がダメージを受けるのを防ぐために、足部デッキ部分３６０が収納位置にある状態で治療・介護者が足部デッキ部分３６０を踏むと、下方に変形するように構成されている。さらに収納構造４００の一部は、ベース１８の横桁４０４を通過するために、出産用ベッド１０の長さに対して長手方向に沿って動く。
【００４９】
図１３〜図１５を参照すると、収納構造４００は案内体４０６を有している。案内体４０６はフレーム４０７上に支持されており、フレーム４０７は一対の延長部４０８及び４１０を有している。案内体４０６は一対のプレート４１２及び４１４を有している。プレート４１２及び４１４はそれぞれ、受容体３８０及び３８２に固定されるように構成されている。案内体４０６はさらに一対のアーム４１６及び４１８を有している。アーム４１６及び４１８はそれぞれプレート４１２及び４１４に連結されている。アーム４１６と４１８は横材４２０によって相互に連結されている。横材４２０は、延長部４０８及び４１０に対して矢印４２２及び４２４の方向に移動可能なように、延長部４０８及び４１０の内側に配置されており、延長部４０８及び４１０によって支持されている。案内体４０６のフレーム４０７に対する動きが図３９及び図４０に示されている。概して、収納構造２２が中間フレーム２０に対して垂直に動くとき案内体４０６がフレーム４０７に対して動く。プレート４１２は貫通孔４２６を有しており、プレート４１４は貫通孔４２８を有している。これら貫通孔の中心線が協働して、支持フレーム２２が中間フレーム２０に対して動くにつれて案内体４０６が回転する際に中心となる回転軸４３０を形成する。
【００５０】
フレーム４０７はさらにシャフト４３２を有している。シャフト４３２は２つのプレート４３４及び４３６に連結されている。プレート４３４には延長部４０８が、プレート４３６には延長部４１０が連結されている。プレート４３４は上面４３８を、プレート４３６は上面４４０を有している。上面４３８及び上面４４０はそれぞれ、付勢アセンブリ４４６の横材４４４の下面４４２と係合するように構成されている。付勢アセンブリは、通常の状態では延長部４０８及び４１０が概ね水平方向となるような方向においてフレーム４０７を保持するが、荷重がフレーム４０７の先端に加えられるとフレーム４０７が付勢アセンブリ４４６に対して横材４４４まで変形することを可能にするように構成されている。例えば、足部デッキ部分３６０がフレーム４０７上に支持されている状態で使用者が足部デッキ部分３６０を踏むと、付勢アセンブリ４４６によって、フレーム４０７は使用者の荷重のもと、図１３の矢印４４８の方向に変形することができる。
【００５１】
付勢アセンブリは２つの引きばね４５０及び４５２を有している。引きばね４５０及び４５２は、２つのピン４５４及び４５６にそれぞれ組み立てられると、横材４４４を押すようになる。ピン４５４及び４５６はフレーム４０７のシャフト４３２の相対する両端部において受容されている。シャフト４３２は２つの留め具４５８、４５８によって付勢アセンブリ４４６に固定されている。各留め具４５８はシャフト４３２の各端部で受容されている。付勢アセンブリ４４６はさらに２つのブラケット４６０及び４６２を有しており、ブラケット４６０及び４６２は相対する両端部において横材４４４と係合されている。２つの軸受４６４が横材４４４の２つの貫通孔（図示せず）と係合しており、横材４４４と、ピン４５４・４５６及び引きばね４５０・４５２との間の軸受インタフェースを提供している。ピン４５４及び４５６はそれぞれ引きばね４５０及び４５２を貫通している。ピン４５４はねじ部４６６を、ピン４５６はねじ部４６８を有している。これらねじ部はそれぞれ座金４７０及びナット４７２を受容するように構成されている。プレート４３４及び４３６の面４３８及び４４０のそれぞれが、横材４４４の下面４４２に押し付けられる。引きばね４５０及び４５２の圧縮が、付勢アセンブリ４４６がフレーム４０７に行使する付勢量を決定する。
【００５２】
引きばね４５０及び４５２の抑制の範囲内で、横材４４４はブラケット４６０及び４６２に対して自由に移動できる。それゆえ、矢印４４８の方向に荷重がフレーム４０７に加えられるにつれて、フレーム４０７はシャフト４３２を中心に回転し、面４３８及び４４０が面４４２に押し付けられる。その荷重が十分に重いと、横材４４４がばね４５０及び４５２を圧縮してフレーム４０７の変形を可能にする。荷重が取り除かれると、フレーム４０７は、延長部４０８及び４１０が概ね水平方向となる位置に戻るように付勢される。
【００５３】
図３１を参照すると、収納構造４００は中間フレーム２０のチューブ部材４７４及び４７６に受容されており、中間フレーム２０に対して長手方向に移動可能となっている。収納構造４００は２つのハンガーアセンブリ４７８及び４８０を備えている。ハンガーアセンブリ４７８及び４８０には、それぞれブラケット４６０及び４６２が連結されている。ハンガーアセンブリ４７８と４８０は同一の構造を有しており、全体的にはハンガーアセンブリ４７８を参照して説明を進める。ハンガーアセンブリ４７８はロッド４８２とハンガーブラケット４８４とを有している。ハンガーブラケット４８４はチューブ状部材４８６を有している。ロッド４８２はチューブ状部材４８６を貫通して受容されている。ハンガーブラケット４８４をロッド４８２に固定するために、留め具４８８がチューブ状部材４８６に螺入され、ロッド４８２と係合している。これにより、ハンガーブラケット４８４はロッド４８２に固定され、ロッド４８２と共に動く。ハンガーアセンブリ４７８はさらに２つの案内体４９０、４９０を有している。案内体４９０のそれぞれは留め具４９２によってロッド４８２の端部に連結されており、ハンガーアセンブリ４７８が組み立てられると案内体４９０、４９０が中間フレーム２０の部材４７４内部でロッド４８２を支持するよう配置されるようになっている。案内体４９０は、部材４７４の長さに沿って移動するために、十分な隙間を持って部材４７４の内部スペースに受容されるような寸法を有している。収納構造４００はさらに一対の引きばね４９４、４９４を有している。引きばね４９４の一つは、出産用ベッド１０の足側端部にてハンガーアセンブリ４７８及び４８０と中間フレーム２０との間に配置されている。引きばね４９４、４９４はそれぞれ、部材４７４及び４７６内に配置されている。引きばね４９４、４９４は、ハンガーアセンブリ４７８及び４８０を出産用ベッド１０の頭側端部に向かって付勢する。
【００５４】
ブラケット４６０及び４６２は、ハンガーブロック４９６を通してハンガーアセンブリ４７８及び４８０に固定されている。ハンガーブロック４９６は、チューブ状部材４８６の長手方向長さに平行となる貫通孔４９８を有するように形成されている。ブラケット４６０は、ブラケット４６０の相対するフランジ５０４及び５０６において２つの貫通孔５００及び５０２を有するように形成されている。ハンガーブロック４９６は、貫通孔４９８を貫通孔５００及び５０２と整列させるようにしてフランジ５０４と５０６との間に受容されるような寸法を有している。付勢アセンブリ４４６をハンガーアセンブリ４７８に連結するために、例えばキャリッジボルト等として実現される留め具５０８が、貫通孔５００、４９８、及び５０２を貫通し、ナット５１０によって固定されている。ブラケット４６２も同様な方法でハンガーアセンブリ４８４に固定されている。留め具５０８が、ブラケット４６２のフランジ５１６の貫通孔５１２と、ハンガーアセンブリ４８４のハンガーブロック４９６の貫通孔４９８と、そしてブラケット４６２のフランジ５１８の貫通孔５１４とを貫通して、ナット５１０によって固定されている。
【００５５】
再度図１５を参照すると、付勢アセンブリはさらに２つのベアリングプレート５２０及び５２２を有している。ベアリングプレート５２０及び５２２は、留め具４５８によってそれぞれブラケット４６０及び４６２の外面に連結されている。ベアリングプレート５２０及び５２２のそれぞれは同様に機能し、相互に鏡像同士にあたる。プレート５２２について言及すると、ベアリングプレートは斜面５２４を有するように形成されている。同様に、プレート４３４及び４３６も斜面５２６及び５２８を有するように形成されている。斜面５２６及び５２８は、ベアリングプレート５２２の斜面５２４及びベアリングプレート５２０の相補する面（図示せず）に概ね平行となっている。
【００５６】
斜面５２４、５２６、及び５２８は、中間フレーム２０が降下されたときに斜面５２４、５２６、及び５２８が、ベース１８の横桁５３０の面５３２と５３６の交差部５３４と係合するように、配置されている。斜面５２４、５２６及び５２８の横桁５３０との係合によって、収納構造４００は出産用ベッド１０の足側端部の方に押され、引きばね４９４の付勢が克服されて、ハンガーアセンブリ４７８及び４８０の長手方向の移動が引き起こされる。これにより、収納構造４００と横桁５３０との間の間隔不足によって足部デッキ部分３６０及び収納構造４００へダメージが加わってしまうことを防ぐ。中間フレーム２０が上昇されると、引きばね４９４が収納構造４００を定位置へ付勢する。
【００５７】
図４３に示す別の実施形態では、収納構造５９２が中間フレーム２０から支持されており、中間フレーム２０に対して移動可能になっている。収納構造５９２は２つのばね５９６及び５９８を備えている。ばね５９６及び５９８は一端において部材４７４及び４７６にそれぞれ連結されている。ばね５９６及び５９８はまた、チューブ状ロッド６０４及び６０６にもそれぞれ連結されている。チューブ状ロッド６０４及び６０６はチューブ６００及び６０２をそれぞれ支持している。ばね５９６及び５９８が収納構造５９２を付勢し、収納構造５９２を出産用ベッド１０の頭側端部の方に移動させる。
【００５８】
収納構造５９２はさらに２つの支持ブラケット６１８及び６２０を備えている。支持ブラケット６１８及び６２０はチューブ６００及び６０２をそれぞれ備えている。支持ブラケット６１８及び６２０はハンガー６２２及び６２４をそれぞれ有しており、ハンガー６２２及び６２４はマウントブロック６２６及び６２８をそれぞれ有している。マウントブロック６２６及び６２８はハンガー６２２及び６２４にそれぞれ固定されている。マウントブロック６２６及び６２８は、ハンガー６２２及び６２４に対するねじりばねアセンブリ６３０の回転を制限するように構成されている。ねじりばねアセンブリ６３０は、外側チューブ６３２と、複数の屈曲部材６３４と、ねじりカラー６３６と、保持カラー６３８とを備えている。屈曲部材６３４は外側チューブ６３２の長さを貫通して受容され、外側チューブ６３２の端部６４２にある正方形開口６４０に受容されている。外側チューブ６３２がハンガー６２４の開口６４６を通過すると、保持カラー６３８が外側チューブ６３２の端部６４２にピン６４４によって連結される。
【００５９】
屈曲部材６３４はねじりカラー６３６の貫通孔６４８に受容されている。貫通孔６４８は正方形の断面を有している。マウントブロック６２６はピン６５０を受容するピン受容穴（図示せず）を備えている。ピン６５０はさらに、ねじりカラー６３６の外側環状面６５４にある一連の穴６５２の一つに受容されている。ピン６５０をねじりカラー６３６とマウントブロック６２６とに取り付けることによって、ねじりカラー６３６が支持ブラケット６１８に、故に中間フレーム２０に対して固定される。
【００６０】
外側チューブ６３２は長手方向軸６５６を有しており、この軸を中心に外側チューブ６３２は回転する。外側チューブ６３２はさらに位置決めフランジ６５８を備えている。位置決めフランジ６５８は、ハンガー６２２の面６６０と係合して、ねじりばねアセンブリ６３０の矢印６６０方向への横移動を阻止する。別の位置決めフランジ６６２が外側チューブ６３２に沿ってハンガー６２４の内面（図示せず）に隣接して配置され、ねじりばねアセンブリ６３０の矢印６６４方向への横移動を阻止する。このようにねじりばねアセンブリ６３０は、ねじりカラー６３６及び位置決めフランジ６５８によってハンガー６２２に保持され、また、位置決めフランジ６６２及び保持カラー６３８によってハンガー６２４に保持されている。
【００６１】
外側チューブ６３２はさらに２つのマウント６６６及び６６８を備えている。マウント６６６及び６６８は長手方向軸６５６の垂直下方に来るように配置されている。マウント６６６はブラケット６７０を受容している。ブラケット６７０はピン６７２によってマウント６６６に連結されている。同様に、ブラケット６７４はピン６７６によってマウント６６８に連結されている。各ブラケット６７０及び６７４はロッド６７８及び６８０にそれぞれ連結されている。各ロッド６７８及び６８０はピン６８２及び６８４をそれぞれ有している。ピン６８２及び６８４はロッド６７８及び６８０にそれぞれ連結されて、保持具としての役目を果たしている。
【００６２】
上述のとおり、収納構造６９２は荷重を受けると変形する。例えば、荷重が収納構造６９２上に置かれると、ねじりばねアセンブリ６３０は矢印７１０で示すように軸６５６を中心に回転する。ねじりカラー６３６がマウントブロック６２６に固定されているねじりばねアセンブリ６３０の端部は回転が制止される一方、端部６４２において屈曲部材６３４は曲がる。屈曲部材６３４は開口６４０において外側チューブ６３２と係合されているが、外側チューブ６３２はねじりカラー６３６に対して自由に回転できる。よって、外側チューブ６３２はブラケット６２２及び６２４に対して回転し、ロッド６７８及び６８０の軸６５６を中心とする回転を可能にしている。
【００６３】
さらに、矢印７１０の反対方向への外側チューブ６３２の回転は、フランジ６６２のタブ７１２の係合によって制限される。タブ７１２は、マウントブロック６２８のタブ７１４と係合する。マウントブロック６２８はブラケット６２４に固定されているので、タブ７１２のタブ７１４との係合によって、外側チューブ６３２の軸６５６を中心とした矢印７１０の反対方向への回転は制限される。図４は、変形していない位置における収納構造５９２を示している。中間フレーム２０が下方へ移動していく間に、ブラケット６２２及び６２４はベース１８の横桁５３０と係合し、ブラケット６２２及び６２４と横桁５３０との間の衝突によって収納構造５９２へダメージが加わることを防ぐために横桁５３０から離れるように付勢される。
【００６４】
このように、収納構造５９２は収納構造４００と同様に動作して、収納構造のフレームの中間フレームに対する回転と、収納構造４００及び５９２の中間フレームに対する長手方向の移動とを可能にしている。ある実施形態では、収納構造４００の付勢アセンブリ４４６が省略されて、代わりにねじりばねアセンブリ６３０が用いられていてもよいことを理解されたい。同様に、ある実施形態では、ハンガーアセンブリ４７８及び４８０が省略されて、代わりに収納構造５９２のばね９６及び９８を利用した構造が用いられていてもよい。
【００６５】
別の実施形態では、案内体４０６が省略されて代わりに一対の案内部材が用いられている。図１０には、受容体３８０と係合された案内部材１００が示されている。他方の案内部材が受容体３８２と係合しているが、案内部材１０００と鏡像ではあるがほぼ同様であるため、案内部材１０００の説明で開示の理解には十分だろう。案内部材１０００はピボット１００４を中心に回転可能となっている。案内部材１０００は収納構造４００と同様の構造の上に支持されており、横材１００２によってフレーム４０７上に支持されている。横材１００２は、足部デッキ部分３６０が収納位置に移動するときに、ローラー３８４及び３８６と留め具９００及び９０２とがチャネル１００６を案内されて降下していくように、案内部材１０００に固定されている。ここで図２７〜図２９を参照すると、案内部材１０００の反対側である案内部材１００８が詳細に示されている。案内部材１００８はチャネル１０１０を有している。案内部材は矢印１０１４で示すようにマウント穴１０１２を中心に受容体３８２に対して回転する。図２９に示すとおり、案内部材１００８は溝１０１６を有している。溝１０１６はチャネル１０１０内に形成されている。溝１０１６は、足部デッキ部分３６０が収納位置に移動するときに足部デッキ部分３６０が横に移動することを阻止するために、留め具９００及び９０２のフランジ９１０を受容するように構成されている。ローラー３８４及び３８６は、留め具９００及び９０２のフランジ９１０が溝１０１６内部の金属面と接触しないようにしながら、面１０２０に沿って転がっていく。
【００６６】
ここで図６を参照すると、足部支持クッションアセンブリ３６２が中央クッション７１６とサイドクッション７１８及び７２０とを備えている。クッション７１６、７１８、及び７２０の全てがウレタンコーティング布を備える単一のカバーで覆われている。しかし、クッション７１８及び７２０はクッション７１６に対して回転可能となっている。クッションアセンブリ３６２はさらにフラップ７２２及びフラップ７２４を備えている。各フラップはスナップ７２６を有している。スナップ７２６によって、クッションアセンブリ３６２を足部デッキ部分３６０の上面８５６へ固定することが可能となる。図９に示すとおり、作動体３６４は案内斜面７２８を主要部７３０に備えている。主要部７３０は足部デッキ部分３６０の開口３６８に受容されるように構成されている。主要部７３０はベース部７３２から延在しており、ベース部７３２は支持プレート７４０に連結されており、支持プレート７４０はクッションアセンブリ３６２のカバー７３４の横にあり、作動体３６４がクッションアセンブリ３６２の中央クッション７１６の下面７３８に形成された開口７３６を通って伸張できるようになっている。
【００６７】
作動体３６４はさらに、クッションアセンブリ３６２に剛性を持たせるためのプレート７４２も貫通して延在している。例示的な実施形態におけるプレート７４０及び７４２は半剛性のプラスティック素材を備えている。クッションアセンブリ３６２はさらにグリップハンドル７４４を備えている。グリップハンドル７４４はナイロン織布を備えており、プレート７４２に固定されている。ここで図８を参照すると、グリップハンドル７４４はループ７４６とストラップ７４８とを有している。ストラップ７４８は、フック及びループ留め具７５６によってプレート７４２に固定されるように、第一開口７５０を通過し第二開口７５２と第三開口７５４とに挿入されていってその後折り重ねられている。これは図９に最も良く示す。また、ループ７４６は、織布材の一部を折り重ねて固定し、それをまた別のフック及びループ留め具で固定することによって形成されている。
【００６８】
ここで図４を参照すると、足部デッキ部分３６０が、カバー７５１が分離された状態で示されており、ロック機構８７２の構造と、ロック機構８７２と足部デッキ部分３６０のフレームの各部材との連結が明らかになっている。足部デッキ部分３６０は２つのフレームレール７５２及び７５４を備えている。フレームレール７５２及び７５４はそれぞれ横断チューブ７５６に連結されている。デッキ部分３６０はさらにガセット７５８を備えており、ガセット７５８はフレームレール７５２と横断チューブ７５６とに連結されている。ローラー３８４及び３８６はガセット７５８に連結されており、ガセット７５８の面７６０から外方向に延在しており、２つの留め具９００及び９０２によってそれぞれガセット７５８に保持されている。ガセット７５８はさらに開口７６２を備えている。保持ピン３７４が開口７６２を通って伸張したり引っ込んだりする。足部デッキ部分はガセット７６４を備えている。ガセット７６４はフレームレール７５４と横断チューブ７５６とに連結されている。ローラー３８８及び３９０がそれぞれフレームレール７５４に連結されており、ガセット７６４から外方向に延在しており、２つの留め具９０４及び９０６によってそれぞれガセット７６４に保持されている。留め具９００、９０２、９０４及び９０６はそれぞれベアリング面９０８とフランジ９１０とを備えている。フランジ９１０は、収納構造４００上で横方向での足部デッキ部分３６０の位置を保持するように構成されている。ローラー３８４、３８６、３８８及び３９０は、留め具９００、９０２、９０４及び９０６のベアリング面９０８上で自由に回転する。３７６がガセット７６４にある開口を通って延在し、ガセット７６４の面７６６から外方向に延在して受容体３８２と係合するために、この開口に対して移動可能となっている。足部デッキ部分３６０はさらにフランジ７６８及び７７０を備えている。フランジ７６８及び７７０はそれぞれフレームレール７５２及び７５４に連結されている。フランジ７６８及び７７０はプラスティックハンドル７７２に連結されるように構成されている（図４に最も良く示す）。
【００６９】
クッションアセンブリ３６２の作動体３６４が足部デッキ部分３６０の開口３６８内に受容されると、作動体はロック機構３７２と係合し、これによりピン３７４及び３７６が足部デッキ部分３６０から伸張されて受容体３８０及び３８２と係合して足部支持デッキ１６を支持フレーム２２に保持できるようになる。図５Ａを参照すると、ロック機構３７２は支持プレート７７４を備えている。支持プレート７７４は横断チューブ７５６に連結されている。支持プレート７７４によって第一スペース７７６と第二スペース７７８とが画定されている。クッションアセンブリ３６２が足部デッキ部分３６０上に配置されるとき、第二スペース７７８が作動体３６４を受容する。
【００７０】
支持プレート７７４は、足部デッキ部分３６０の患者右側に、支持プレート７７４を貫通する開口７９０を備えている。ロック機構３７２はさらに作動プレート７８０を備えている。作動プレート７８０は、開口７９０を通って受容されるタング８０２を備えている。作動プレート７８０は支持プレート７７４に対して移動可能であり、ロック機構３７２が作動体３６４によって作動されるとタング８０２が開口７９０内で動く。作動プレート７８０は矢印８０４の方向に横に移動してピン３７４を足部デッキ部分３６０から外に向かって横に伸張させる。作動プレート７８０はさらに係合縁７８４を備えている。係合縁７８４は、クッションアセンブリ３６２が足部デッキ部分３６０上に配置されると作動体３６４の面７２８によって係合される。作動体３６４が矢印７８８の方向に進むにつれて作動プレート７８０が矢印８０４の方向へ移動していく。
【００７１】
支持プレート７７４はさらに開口７９２を備えている。開口７９２は患者左側に配置されている。開口７９２は作動プレート７８２のタング３０６を受容している。作動プレート７８２はさらに係合縁７８６を備えている。係合縁７８６は、作動体３６４が矢印７８８の方向に進んでいくと、作動体３６４の面７２８によって係合されて、これにより作動プレート７８２が矢印８０８の方向へ横に移動して、ピン３７６を足部デッキ部分３６０から外に向かって横に伸張させる。
【００７２】
ここで作動プレート７８０について再度言及すると、プレート７８０はさらにフランジ７９８を備えている。フランジ７９８は支持プレート７７４の開口７９４を通過して延在し、ロック機構３７２の作動アーム８１０と係合している。作動アーム８１０は、動きをフランジ７９８からピン３７４へと伝達する。同様に作動プレート７８２もフランジ８００を備えている。フランジ８００は支持プレート７７４の開口７９６を通過して延在し、作動アーム８１２と係合している。作動アーム８１２は、動きをフランジ８００からピン３７６へと伝達する。
【００７３】
ロック機構３７２はピン３７４及び３７６が引き込まれる位置に付勢されているが、この付勢は、クッションアセンブリ３６２が足部デッキ部分３６０と係合される時に、作動体３６４が作動プレート７８０及び７８２を移動させることによって克服される。付勢は、フレームレール７５２及び７５４とそれぞれ係合された２つのばね８１４及び８１６の係合から来るものである。ばね８１４は、作動アーム８１０の脚８１８とフレームレール７５２の内面８２０との間に配置されている。作動アーム８１０が矢印８０４の方向に横に移動するにつれて、ばね８１４が圧縮され、ピン３７４の横方向の移動が抑止される。ばね８１６は作動アーム８１２の脚８２２とフレームレール７５４の内面８２４との間に配置されており、作動アーム８１２が矢印８０８の方向に横に移動すると、ばね８１６が圧縮され、これによりピン３７６の移動が抑止される。作動体３６４の作動プレート７８０及び７８２との係合によって、ばね８１４及び８１６が圧縮された状態で保持される。クッションアセンブリ３６２が足部デッキ部分３６０から取り外されるとこの状態が解除されて、ばね８１４及び８１６の付勢によってピン３７４及び３７６が引き込まれ、これにより足部デッキ部分を受容体３８０及び３８２に対して動かすことが可能になる。
【００７４】
足部デッキ部分３６０を収納するのに必要なステップが、図３０〜図４０での収納過程において示されている。図３０及び図３１では、足部デッキ部分３６０が片持ち梁の構成で支持フレーム２２上に支持されている。クッションアセンブリ３６２が取り外されているので、ロック機構３７２は始動しておらず、足部デッキ部分３６０は支持フレーム２２に対して自由に動くことができる。ここで使用者がハンドル７７０を持ち上げて足部デッキ部分３６０の足側端部を持ち上げると、ローラー３８８及び３９０が案内体４０６のアーム４１８と係合する。図３２及び３３に示すとおり、留め具９０４及び９０６のフランジ９１０がアーム４１８と係合して、足部デッキ部分３６０が収納構造４００上で横に動くのを阻止する。
【００７５】
使用者は、図３４及び３５に示すように、足部デッキ部分３６０を案内体４０６に沿ってフレーム４０７に向かって降下させ続ける。足部デッキ部分３６０が完全にフレーム４０７上に支持されると、胎盤受け用たらい４０２のための開口は支持フレーム２２の下方に位置し、図２に示すような収納位置まで長手方向に移動可能となる。足部デッキ部分３６０を使用位置まで移動させるには、使用者がただハンドル７７０を引くと、足部デッキ部分３６０は案内体４０６を昇っていって２つの受容体３８０及び３８２と係合する。
【００７６】
別の例示的な実施形態では、足部デッキ部分９２０が第一デッキ部９２２と第二デッキ部９２４とを備えている。第一デッキ部９２２と第二デッキ部９２４は、図４１に示すように、一対のヒンジ部材９２６及び９２８を通して相互に連結されている。第一デッキ部９２２の底部に連結されたスライド（図示せず）が、当該スライドが第二デッキ部９２４と係合しない位置と、第二位置との間を移動可能になっている。第二位置とは、当該スライドが第二デッキ部９２４と係合し、当技術には公知のとおりの差し込み板用支持部材と同様に第一デッキ部９２２と第二デッキ部９２４との下で剛性支持を提供するような位置である。図４１及び４２の例示的な実施形態では、デッキ部を共に折り畳めるように、第一デッキ部９２２が第二デッキ部９２４に対して回転する。図４２に示す折り畳まれた状態では、足部デッキ部分９２０は２つの足支持体３２及び３４の間で収納される。ある実施形態では、足デッキ部分９２０が、ケーブルアセンブリによって作動される２つのスライドを、第二デッキ部９２４に対する第一デッキ部９２２の動きを可能にする一つのケーブルアセンブリと、支持フレーム２２に対する第二デッキ部９２４の回転を可能にする第二スライドと共に有していてもよい。ある実施形態では、スライドが図４１に示す位置に付勢され、図４２に示す収納位置に関節動作させるために使用者が解除する必要があるように、スライドがばね搭載されていてもよい。
【００７７】
以上、特定の例示的な実施形態について詳細に説明してきたが、様々な改変や変更も本開示の範囲と趣旨に入るものとする。本開示の範囲と趣旨は、別添の特許請求の範囲に記載し定義するとおりである。
【図面の簡単な説明】
【００７８】
詳細な説明では特に、添付の以下のような図面を参照する。
【図１】図１は、関節動作可能な足支持体を収納位置に有し、取り外し可能な足部部分を有している出産用ベッドを示す斜視図である。
【図２】図２は、一部分が取り除かれた出産用ベッドの一部を示す斜視図であり、ベッドの足側端部側から見た出産用ベッドと共に、収納可能な足部デッキ部分を、収納可能足部デッキ部分における容器が胎盤受け用たらいとして機能するように配置されるような収納位置に関節動作された状態で示している。
【図３】図３は、足部デッキ部分に固定されたクッションアセンブリを有する、図２の収納可能な足部デッキ部分を示す側面図である。
【図４】図４は、図３の収納可能な足部デッキ部分を示す分解斜視組立図であり、上方から見た足部デッキ部分を示している。
【図５】図５は、図４と同様な足部デッキ部分の分解斜視組立図であるが、図５においては下方から見た足部デッキ部分を示している。
【図５Ａ】図５Ａは、図５において円で囲んだ、図５の一部を示す拡大図である。
【図６】図６は、足部デッキ部分上に支持されるように構成されたクッションアセンブリの斜視図であり、使用位置にある収納可能な足部デッキ部分を出産用ベッド上に固定するために、収納可能な足部デッキ部分によって受容されロック機構を作動させるように構成された突出部を有するクッションアセンブリを示している。
【図７】図７は、図６のクッションアセンブリの側面図である。
【図８】図８は、図６のクッションアセンブリの収納構造の底面図である。
【図９】図９は、図８の収納構造の側面図である。
【図１０】図１０は、収納可能な足部デッキ部分を、使用位置から収納構造上に支持されるように案内する案内システムの一実施形態を有する出産用ベッドの一部を示す斜視図である。
【図１１】図１１は、一部分を取り除いた図２の出産用ベッドの一部を示す斜視図であり、出産用ベッドのフレームに取り付けられた受容体であって、収納可能な足部デッキ部分の一部を片持ち梁の形態で受容するように構成された受容体を示す斜視図である。
【図１２】図１２は、図１１と同様の図であるが、取り外し可能な足部デッキ部分を受容するように構成されている受容体の代替の実施形態を示している。
【図１３】図１３は、図２の出産用ベッドの一部に連結された構造の分解斜視組立図であり、収納可能な足部デッキ部分を収納位置で支持するように構成されている構造を示している。
【図１４】図１４は、図１３の収納構造の一部を示す斜視図である。
【図１５】図１５は、図１４に示す収納構造部分の分解斜視組立図である。
【図１６】図１６は、図１の出産用ベッドの一部を、取り外し可能な足部デッキ部分と共に示す分解組立図である。
【図１６Ａ】図１６Ａは、円１６Ａで囲んだ、図１６の一部を示す拡大図である。
【図１７】図１７は、邪魔にならない体勢で、収納され床に配置された取り外し可能な足部デッキ部分を示す斜視図である。
【図１８】図１８は、取り外し可能な足部デッキ部分の側面図である。
【図１９】図１９は、図１２に示す受容体と係合するように配置された、図１６の取り外し可能な足部デッキ部分のタブを示す側面図である。
【図２０】図２０は、図１２、図１６及び図１９の受容体を示す断面図で、図１９の線２０−２０に沿って切り取った断面図である。
【図２１】図２１は、足部デッキ部分の別の実施形態を有する出産用ベッドの一部を示す斜視図であり、取り外し可能な足部デッキ部分を出産用ベッドのフレームに固定するためのロック機構を有する取り外し可能な足部デッキ部分を示している。
【図２２】図２２は、図２１の取り外し可能な足部デッキ部分を示す斜視図であるが、下方から見た足部デッキ部分を示している。
【図２３】図２３は、図２１の出産用ベッドのフレームの一部を示す斜視図であり、固定のためにロック機構によって係合されるように構成されているフレームを示している。
【図２４】図２４は、取り外し可能な足部デッキ部分のさらに別の実施形態を有する出産用ベッドの一部を示す斜視図である。
【図２５】図２５は、取り外し可能な足部デッキ部分のさらに別の実施形態を示す斜視図であり、床上に配置されると足部デッキ部分を支持する自己展開型のスタンドを有する足部デッキ部分を示している。
【図２６】図２６は、さらに別の取り外し可能な足部デッキ部分を示す斜視図であり、足部デッキ部分が係合される出産用ベッドから足部デッキ部分を運び去ることができるように、キャスター車輪付きの展開可能支持フレームを有する足部デッキ部分を示している。
【図２７】図２７は、図１０の案内体の一部を示す斜視図である。
【図２８】図２８は、図２７の案内体の側面図である。
【図２９】図２９は、図２８の線２９−２９に沿って切り取った、図２７の案内体を示す断面図である。
【図３０】出産用ベッドの別の実施形態を一部を取り除いて示す様々な斜視図であり、収納可能な足部デッキ部分を使用位置と収納位置とで支持するための構造と案内システムとを有する出産用ベッドを示している。
【図３１】出産用ベッドの別の実施形態を一部を取り除いて示す様々な斜視図であり、収納可能な足部デッキ部分を使用位置と収納位置とで支持するための構造と案内システムとを有する出産用ベッドを示している。
【図３２】出産用ベッドの別の実施形態を一部を取り除いて示す様々な斜視図であり、収納可能な足部デッキ部分を使用位置と収納位置とで支持するための構造と案内システムとを有する出産用ベッドを示している。
【図３３】出産用ベッドの別の実施形態を一部を取り除いて示す様々な斜視図であり、収納可能な足部デッキ部分を使用位置と収納位置とで支持するための構造と案内システムとを有する出産用ベッドを示している。
【図３４】出産用ベッドの別の実施形態を一部を取り除いて示す様々な斜視図であり、収納可能な足部デッキ部分を使用位置と収納位置とで支持するための構造と案内システムとを有する出産用ベッドを示している。
【図３５】出産用ベッドの別の実施形態を一部を取り除いて示す様々な斜視図であり、収納可能な足部デッキ部分を使用位置と収納位置とで支持するための構造と案内システムとを有する出産用ベッドを示している。
【図３６】出産用ベッドの別の実施形態を一部を取り除いて示す様々な斜視図であり、収納可能な足部デッキ部分を使用位置と収納位置とで支持するための構造と案内システムとを有する出産用ベッドを示している。
【図３７】出産用ベッドの別の実施形態を一部を取り除いて示す様々な斜視図であり、収納可能な足部デッキ部分を使用位置と収納位置とで支持するための構造と案内システムとを有する出産用ベッドを示している。
【図３８】出産用ベッドの別の実施形態を一部を取り除いて示す様々な斜視図であり、収納可能な足部デッキ部分を使用位置と収納位置とで支持するための構造と案内システムとを有する出産用ベッドを示している。
【図３９】出産用ベッドの別の実施形態を一部を取り除いて示す様々な斜視図であり、収納可能な足部デッキ部分を使用位置と収納位置とで支持するための構造と案内システムとを有する出産用ベッドを示している。
【図４０】出産用ベッドの別の実施形態を一部を取り除いて示す様々な斜視図であり、収納可能な足部デッキ部分を使用位置と収納位置とで支持するための構造と案内システムとを有する出産用ベッドを示している。
【図４１】図４１は、出産用ベッドの別の実施形態を示す斜視図であり、収納位置に折畳まれて関節動作される収納可能な足部デッキ部分を有する出産用ベッドを示している。
【図４２】図４２は、収納位置にある図４１の収納可能な足部デッキ部分を示す斜視図である。
【図４３】図４３は、患者支持装置のフレームから吊り下げて足部デッキ部分を支持するように構成された収納構造の別の実施形態を示す斜視分解組立図である。
【符号の説明】
【００７９】
１０  出産用ベッド
１２  頭部デッキ部分
１４  座部デッキ部分
１６  足部デッキ部分
１８  ベースフレーム
２０  中間フレーム
２２  支持フレーム
２２  収納構造
２５  マットレス
２６  マットレスの凹部
２８  クッションアセンブリ
３０  クッションアセンブリの凸部
３２、３４  足支持体
３６  上側デッキ
３８  下側デッキ
４０  第一ピボット
４２  第二ピボット
４６、５２  受容体
５０、５４  支持プレート
５６  受容体上面
５８  受容体斜面
６０  受容体係止面
６２  受容体第一突出部
６４  受容体第二突出部
８０  支持プレートの突出部
８２  受容体の第一突出部の下方面
８４  ハンドル
８８  足部デッキ部分１６の主要部
１０２  支持プレート５４の主要部
１０４  支持プレート５４の外側部材
１０６  支持プレート５０の主要部
１０８  支持プレート５０の外側部材
１３４  支持プレート５４のグライド
１３８  主要部１０２の下面
１４０  支持プレート５０のグライド
１４２  スタンド
１４４  足部デッキ部分
１４６  クッションアセンブリ
１４８  グリップハンドル
１５２  足部デッキ部分１４４の主要部
１５４  キャスター
１５６  ハンドル
１５８  胎盤受け用たらい
１６０、１６２  ラック
１６４  シュラウド
１６６、１６８  胎盤受け用たらい１５８のフランジ部
１７０  胎盤受け用たらい１５８の前部
１７２、１７４  ラック１６０の延長部
１７６、１７８  ラック１６２の延長部
１８０  足部デッキ部分１６の支持部材
１８２  座部デッキ部分１４の凹部
１８８  クッションアセンブリ１４６のフラップ
１９０  スナップ部
１９２  相補スナップ部
１９４  足部デッキ部分１４４のハンドル
１９６  足部デッキ部分
１９８  足部デッキ部分１９６の主要部
２００  支持ブラケット
２０２  支持ブラケット
２０４、２０６  受容体
２０８  受容体２０４の上方部
２１０  受容体２０４の下方部
２１２  受容体２０４の突出部
２１４  突出部２１２の上面
２１６  突出部２１２の案内面
２１８  突出部２１２の垂直面
２２０  受容体２０４の上面
２２２  アンダーカット部
２２４  ローラー
２２６  支持ブラケット２００の主要部
２２８  支持ブラケット２００のフランジ
２３０  足部デッキ部分１９６のロック機構
２３２、２３４  足部デッキ部分１９６のハンドル
２３６  ラッチフック
２４１  ラッチフックのバーブ
２４２、２５４、２５８  シャフト
２４３  ラッチブロック
２４４  シャフトの軸受
２４８、２５２  アーム
２５０  リンク
２６０  シャフト連結部
２６６  足部デッキ部分
２６８  クッションアセンブリ
２７３  ハンドル
２８０  足部デッキ部分
２８２  足部デッキ部分２８０の主要部
２８４、２８６  支持ブラケット
２８８  足部デッキ部分２８０のハンドル
２９０  ３点スタンド
３０４、３０６  ３点スタンドの脚
３１６  ブラケット
３１８  付勢部材
３２２  フランジ
３２４  足
３２８、３３０  グライド
３３２  足部デッキ部分
３３４  はさみ状フレーム
３３６  キャスター
３４２  はさみ状フレーム３３４の脚
３４４  足部デッキ部分３３４の主要部
３４６  はさみ状フレーム３３４の脚
３５０  足部デッキ部分３３４の支持ブラケット
３５２  支持ブラケット３５０の付勢部材
３６０  足部デッキ部分
３６２  クッションアセンブリ
３６４  作動体
３６６  クッションアセンブリ３６２の底面
３６８  足部デッキ部分３６０の開口
３７０  足部デッキ部分３６０の上面
３７２  ロック機構
３７４、３７６  ピン
３７８  受容体３８０のチャネル
３７９  アンダーカット部
３８０、３８２  受容体
３８４、３８６、３８８、３９０  ローラー
３９２  受容体３８０のチャネル
３９４  受容体３８０の面
３９６  チャネル３７８の端部
３９８  受容体３８０の止まり穴部
４００  収納構造
４０６  案内体
４０７  フレーム
４０８、４１０  フレーム４０７の延長部
４１２、４１４  案内体４０６のプレート
４１６、４１８  案内体４０６のアーム
４２０  フレーム４０７の横材
４３２  フレーム４０７のシャフト
４３４、４３６  プレート
４３８  プレート４３４の上面
４４０  プレート４３６の上面
４４２  横材４４４の下面
４４４  横材
４４６  付勢アセンブリ
４６０、４６２  付勢アセンブリ４４６のブラケット
４７４、４７６  中間フレーム２０のチューブ部材
４７８、４８０  ハンガーアセンブリ
４８２  ロッド
４８４  ハンガーブラケット
４８６  チューブ状部材
４９０  案内体
４９６  ハンガーブロック
５２０、５２２  ベアリングプレート
５２４、５２６、５２８  斜面
５３０  横桁
５３４  交差部
５９２  収納構造
６００、６０２  チューブ
６０４、６０６  ロッド
６１８、６２２  支持ブラケット
６２２、６２４  ハンガー
６２６、６２８  マウントブロック
６３０  ねじりばねアセンブリ
６３２  外側チューブ
６３４  屈曲部材
６３６  カラー
６３８  カラー
６４０  正方形開口
６４２  端部
６５０  ピン
６５２  穴
６５４  外側環状面
６５６  長手方向軸
６５８、６６２  位置決めフランジ
７１６  中央クッション
７１８、７２０  サイドクッション
７２２、７２４  フラップ
７２６  スナップ
７２８  作動体３６４の案内斜面
７３０  作動体３６４の主要部
７３２  作動体３６４のベース部
７３４  カバー
７３６  中央クッション７１６の開口
７３８  中央クッション７１６の下面
７４０、７４２  クッションアセンブリ３６２のプレート
７４４  グリップハンドル
７４６  グリップハンドル７４４のループ
７４８  グリップハンドル７４４のストラップ
７５８、７６４  デッキ部分３６０のガセット
７６０  ガセット７５８の面
７６２  ガセット７５８の開口
７６６  ガセット７６４の面
７７２  プラスティックハンドル
７７４  ロック機構３７２の支持プレート
７７６  第一スペース
７７８  第二スペース
７８０、７８２  作動プレート
７８４、７８６  係合縁
７９０、７９２、７９４、７９６  支持プレート７７４の開口
７９８  作動プレート７８０のフランジ
８００  作動プレート７８２のフランジ
８１０、８１２  作動アーム
８１４、８１６  ばね
８１８  作動アーム８１０の脚
８２０  フレームレール７５２の内面
８２２  作動アーム８１２の脚
８２４  フレームレール７５４の内面
８５６  足部デッキ部分３６０の上面
９００、９０２、９０４、９０６  留め具
９０８  留め具９００のベアリング面
９１０  留め具９００のフランジ
９２０  足部デッキ部分
９２２  第一デッキ部
９２４  第二デッキ部
９２６、９２８  ヒンジ部材
１０００  案内部材
１００２  横材
１００４  ピボット
１００６  チャネル
１００８  案内部材
１０１０  チャネル
１０１２  マウント穴
１０１６  溝
【図１】
0005128114.tif 000002
【図２】
0005128114.tif 000003
【図３】
0005128114.tif 000004
【図４】
0005128114.tif 000005
【図５】
0005128114.tif 000006
【図５Ａ】
0005128114.tif 000007
【図６】
0005128114.tif 000008
【図７】
0005128114.tif 000009
【図８】
0005128114.tif 000010
【図９】
0005128114.tif 000011
【図１０】
0005128114.tif 000012
【図１１】
0005128114.tif 000013
【図１２】
0005128114.tif 000014
【図１３】
0005128114.tif 000015
【図１４】
0005128114.tif 000016
【図１５】
0005128114.tif 000017
【図１６】
0005128114.tif 000018
【図１６Ａ】
0005128114.tif 000019
【図１７】
0005128114.tif 000020
【図１８】
0005128114.tif 000021
【図１９】
0005128114.tif 000022
【図２０】
0005128114.tif 000023
【図２１】
0005128114.tif 000024
【図２２】
0005128114.tif 000025
【図２３】
0005128114.tif 000026
【図２４】
0005128114.tif 000027
【図２５】
0005128114.tif 000028
【図２６】
0005128114.tif 000029
【図２７】
0005128114.tif 000030
【図２８】
0005128114.tif 000031
【図２９】
0005128114.tif 000032
【図３０】
0005128114.tif 000033
【図３１】
0005128114.tif 000034
【図３２】
0005128114.tif 000035
【図３３】
0005128114.tif 000036
【図３４】
0005128114.tif 000037
【図３５】
0005128114.tif 000038
【図３６】
0005128114.tif 000039
【図３７】
0005128114.tif 000040
【図３８】
0005128114.tif 000041
【図３９】
0005128114.tif 000042
【図４０】
0005128114.tif 000043
【図４１】
0005128114.tif 000044
【図４２】
0005128114.tif 000045
【図４３】
0005128114.tif 000046